(57)【特許請求の範囲】
【請求項１】
（ａ）蓋部材であって、
筒部と、
筒部を開閉可能な蓋とを含む蓋部材と、
（ｂ）筒部に固定され、筒部の外周に拡がって延びる平板状カバー部材と、
（ｃ）カバー部材を地面に固定する固定手段とを含み、
（ｄ）筒部の下方に、生育すべき植物が配置され、
（ｅ）筒部の基端部がカバー部材に固定され、
筒部の頂部に第１ねじが形成され、蓋には第１ねじに着脱可能にねじ接合される第２ねじが形成され、
蓋は、複数の雨滴流入孔が点在して形成される内向きフランジを有することを特徴とする植物の生育装置。
【請求項２】
内向きフランジによって形成される生育孔を開閉可能に塞ぐ生育蓋を備えることを特徴とする請求項１に記載の植物の生育装置。
【請求項３】
（ａ）蓋部材であって、
筒部と、
筒部を開閉可能な蓋とを含む蓋部材と、
（ｂ）筒部に固定され、筒部の外周に拡がって延びる平板状カバー部材と、
（ｃ）カバー部材を地面に固定する固定手段とを含み、
（ｄ）筒部の下方に、生育すべき植物が配置され， 
（ｅ）内向きフランジによって形成される生育孔を開閉可能に塞ぐ生育蓋を備えることを特徴とする植物の生育装置。
【請求項４】
カバー部材は、セメントまたはモルタルから成ることを特徴とする請求項１または３に記載の植物の生育装置。
【請求項５】
（ａ）蓋部材であって、
筒部と、
筒部を開閉可能な蓋とを含む蓋部材と、
（ｂ）筒部から外方に延びる支持部とを含む植物の生育用補助装置であって、
（ｃ）筒部の外周で支持部に平板状カバー部材が固定して配置され、
カバー部材は、地面に固定手段によって固定され、
筒部の下方に、生育すべき植物が配置されるために使用され、
（ｄ）支持部は、その複数本が、筒部の周方向に間隔をあけて、筒部から放射状に細長く延びて形成され、
各支持部の外方端には、環状の立上り型枠が設けられることを特徴とする植物の生育用補助装置。
【請求項６】
筒部を外囲して筒部の外方に延びてカバー部材の下方に配置される打込み保護部材を含むことを特徴とする請求項５に記載の植物の生育用補助装置。
【請求項７】
（ａ）蓋部材であって、
筒部と、
筒部を開閉可能な蓋とを含む蓋部材と、
（ｂ）筒部から外方に延びる支持部とを含む植物の生育用補助装置であって、
（ｃ）筒部の外周で支持部に平板状カバー部材が固定して配置され、
カバー部材は、地面に固定手段によって固定され、
筒部の下方に、生育すべき植物が配置されるために使用され、
（ｄ）筒部を外囲して筒部の外方に延びてカバー部材の下方に配置される打込み保護部材を含むことを特徴とする植物の生育用補助装置。
【発明の詳細な説明】
【技術分野】
【０００１】
本発明は、植物の生育装置およびその補助装置に関し、特に、たとえばイノシシによるササユリの球根の被害を防止するなど、害獣防止のために好適な装置である。
【背景技術】
【０００２】
ササユリは新潟県西部から、静岡県を東限として宮崎県と四国を含む西日本に広く自生している我国固有の貴重な自生のユリである。５月下旬から7月にかけて開花し、花は淡くピンク色で香りも良く、姿は可憐なため人気が高く、日本全国でシンボルフラワーにササユリが選ばれているところは６４市町村ある。町の花に選定した地域とササユリの分布域は概ね重なり、古くから近隣に数多く自生していたと考えられ、里の花として里人とのかかわりが深い花である。
【０００３】
名前の由来は、葉が笹葉に似ていることや、笹原に自生していることが多いからである。ササユリは、集落近くの里に自生し、人の手が入ることで守り育てられてきた外山の植物で、里山の環境を推し量る指標植物である。
【０００４】
近年になって燃料革命などによる正確様式の変化や環境の悪化から、里山の自然が崩壊したことでササユリ端壁部減少し、さらに希少価値による人為的な乱獲や獣害がその減少に拍車をかけている。林緑に咲くササユリは非常に人目につきやすく、乱獲される運命が待っている。特に近年イノシシが増加し、球根の味が良いササユリは標的になって、ササユリの減少に拍車をかけている。その球根は、人間の食用としても大変美味で、ササユリが増産されて市場に出回ることになると、食材としての消費も期待される植物でもある。
【０００５】
ササユリの自生の場合、種が芽を出すためには３〜４年かかり、さらに花を咲かせるまでの球根になるためには３〜５年かかり、さらにそのような球根になるためには半日陰の環境が求められ、落葉樹の下で春に芽を出すために人手をかけた落葉樹の落葉を取る作業や、春から夏にかけては落葉樹の葉陰から刺し込む太陽の光で育つため、時には散水しなければならないという手間のかかる植物でもある。
【０００６】
そこで近年は、ササユリの花が種としての、サク果になったときに、そのサク果をバイオテクノロジ技術を利用して球根を生産するという方法や、ササユリのリン片を同じくバイオテクノロジ技術を利用して、１年で１．５ｃｍ〜２ｃｍ（直径）の球根を育て、その球根をハウス（パイプハウス）の中で１年で大きくして、２〜３年目に花を咲かせるという方法が採られるようになっている。
【０００７】
イノシシによるササユリの球根の被害は、バイオテクノロジで育てた球根をハウス（パイプハウス）の中で育てるのではなく、荒廃した山林の中の回復のひとつの方法として、バイオテクノロジで育てたササユリの球根を落葉樹の木の下で育てる際に、大きな問題になり、その害獣被害が防止されなければならない。
【０００８】
既に自然の状況は、全国のササユリのイノシシによる被害はササユリの全滅させる状況にある。
野生害獣による畑作の食害防止のために、侵入防止柵を地面に設置する従来技術は、構成が大形化し、したがって農業地域、山林の景観を悪くする（特許文献１）。
【先行技術文献】
【特許文献】
【０００９】
【特許文献１】特開平１０−４８５４
【発明の概要】
【発明が解決しようとする課題】
【００１０】
本発明の目的は、イノシシなどによる害獣被害を防止するために好適に実施することができ、構成が比較的小形に実現できる植物の生育装置およびその生育のための補助装置を提供することである。
【課題を解決するための手段】
【００１１】
本発明は、
（ａ）蓋部材であって、
筒部と、
筒部を開閉可能な蓋とを含む蓋部材と、
（ｂ）筒部に固定され、筒部の外周に拡がって延びる平板状カバー部材と、
（ｃ）カバー部材を地面に固定する固定手段とを含み、
（ｄ）筒部の下方に、生育すべき植物が配置され、
（ｅ）筒部の基端部がカバー部材に固定され、
筒部の頂部に第１ねじが形成され、蓋には第１ねじに着脱可能にねじ接合される第２ねじが形成され、
蓋は、複数の雨滴流入孔が点在して形成される内向きフランジを有することを特徴とする植物の生育装置である。
【発明の効果】
【００１２】
本発明によれば、蓋部材の筒部に平板状カバー部材が拡がって固定され、このカバー部材を、杭などの固定手段によって畑などの地面に固定し、蓋部材の筒部の下方に、生育すべき植物、たとえばササユリの球根などが配置される。これによってイノシシなどの野生害獣が本件生育装置を地面から取外すことができず、そのため生育すべき植物が害獣に食べられるおそれがなくなる。
【００１３】
蓋部材の蓋は、植物の生育初期には筒部を閉じておき、これによって植物を保温し、また太陽光による温暖な状況を、植物の生育環境として作ることができる。蓋は、透明であってもよく、透光性であり、または遮光性であってもよい。
【００１４】
蓋部材の蓋を筒部から取外すなどして、筒部を開くことによって、その筒部内から、筒部の下方に配置される植物を指で取出したり、交換したりする作業を容易に行うことができる。そのため、カバー部材を地面から取外す作業が必要でなく、植物の生育作業を容易に行なうことができる。
【００１５】
本発明に従う実施の一形態では、球根を、その周囲を円環形のカバー部材としてのコンクリート板で保護し、これによって、イノシシが食べることを防止する。この円環形のコンクリート板の中央に、生育蓋によって開閉可能な生育孔を有するプラスチック等の材料から成る蓋をねじ形にして着脱自在に構成し、ササユリの球根の入った植木鉢を取り出せるように、ササユリの植木鉢に入れた培養土の取り換えや球根の交換等の作業ができるようにして、自然の環境の中でササユリの花や、球根の成長を図ることができる。
【００１６】
したがって本発明は、たとえば特にササユリを存続させるために効果的である。このササユリを野生害獣の食害なしに、栽培すれば、林業の活性化や花市場へのササユリの花の供給もできるようになって、華道の需要にも、応えることができ、ササユリが古来から愛されている保護もできることとなり、また、そのササユリの香りは日本文化のワビ・サビに適したものであり、その香りはさらに香道にも起用されることになる。
本発明によれば、生育される植物がバクテリア、雑菌から保護もされる。
【００１７】
本発明によれば、筒部の基端部がカバー部材に固定され、その筒部の頂部に蓋が着脱自在にねじ接合され、この蓋は、複数の雨滴流入孔が点在して形成される内向きフランジを有するので、蓋を筒部の頂部に取付けた状態で、内向きフランジの雨滴流入孔から雨滴などの水が流入して植物に与えられる。また内向きフランジによって形成される、たとえば中央に形成される生育孔もまた雨滴などを植物に与える。この生育孔が大きければ、蓋を筒部から取外さずに、生育孔から作業者が指または手を挿入して、植木鉢を出し入れしたり、植木鉢に入れた培養土の取り換えや球根の交換等の作業ができる。
第１および第２ねじのいずれか一方は外ねじであり、いずれか他方は内ねじであり、蓋の筒部への着脱操作が容易である。
【００１８】
本発明によれば、カバー部材は，セメントまたはモルタルから成り、したがって比較的大きな重量、たとえば１０〜３０ｋｇ、あるいはそれ以上の重量を有する。そのため、イノシシなどの害獣によって移動したり持上げられたりすることが防がれ、植物が保護されて生育することができる。
【００２２】
本発明は、
（ａ）蓋部材であって、
筒部と、
筒部を開閉可能な蓋とを含む蓋部材と、
（ｂ）筒部に固定され、筒部の外周に拡がって延びる平板状カバー部材と、
（ｃ）カバー部材を地面に固定する固定手段とを含み、
（ｄ）筒部の下方に、生育すべき植物が配置され， 
（ｅ）内向きフランジによって形成される生育孔を開閉可能に塞ぐ生育蓋を備えることを特徴とする植物の生育装置である。
【００２３】
生育蓋を、前記蓋に着脱可能に設けて内向きフランジによって形成される生育孔を開閉可能とすることによって、植物の生育に適した温和な環境を形成することができる。
【００２４】
本発明は、
（ａ）蓋部材であって、
筒部と、
筒部を開閉可能な蓋とを含む蓋部材と、
（ｂ）筒部から外方に延びる支持部とを含む植物の生育用補助装置であって、
（ｃ）筒部の外周で支持部に平板状カバー部材が固定して配置され、
カバー部材は、地面に固定手段によって固定され、
筒部の下方に、生育すべき植物が配置されるために使用され、
（ｄ）支持部は、その複数本が、筒部の周方向に間隔をあけて、筒部から放射状に細長く延びて形成され、
各支持部の外方端には、環状の立上り型枠が設けられることを特徴とする植物の生育用補助装置である。
【００２５】
本発明によれば、上述の補助装置をたとえばポリエチレン、塩化ビニルなどの合成樹脂材料を用いて射出成形によって製造し、家庭用品店などで販売することができる。この補助装置をそのような販売店で購入した使用者は、地面に補助装置を配置してコンクリートまたはモルタルなどから成るカバー部材を、支持部上に流し込んで打込み、養生、固化し、杭などの固定手段によって地面に固定する。こうして補助装置は携帯運搬が容易であるので、本発明を実施することが容易である。
【００２７】
支持部は筒部の周方向に複数本放射状に細長く延びて形成され、各支持部の外方端には、環状の型枠が設けられるので、コンクリート、モルタルなどの流動性を有する材料によって、蓋部材の筒部と型枠との間にわたって流し込んで、支持部の上などに固定した固化した平板状カバー部材を容易に形成して、本発明を実施することができる。
【００２８】
本発明は、
（ａ）蓋部材であって、
筒部と、
筒部を開閉可能な蓋とを含む蓋部材と、
（ｂ）筒部から外方に延びる支持部とを含む植物の生育用補助装置であって、
（ｃ）筒部の外周で支持部に平板状カバー部材が固定して配置され、
カバー部材は、地面に固定手段によって固定され、
筒部の下方に、生育すべき植物が配置されるために使用され、
（ｄ）筒部を外囲して筒部の外方に延びてカバー部材の下方に配置される打込み保護部材を含むことを特徴とする植物の生育用補助装置である。
【００２９】
本発明によれば、保護部材の上にセメントまたはモルタルなどの材料から成るカバー部材を流し込んで打込む。このとき打込み保護部材によって、カバー部材を構成するコンクリートまたはモルタルが蓋部材の筒部などに直接に接触することが防がれ、蓋部材とカバー部材との間に間隙を存在させることができる。これによって蓋部材の蓋を開閉操作することができる。
【図面の簡単な説明】
【００３０】
【図１】本発明の実施の一形態である植物の生育装置１の断面図である。
【図２】植物の生育装置１の平面図である。
【図３】蓋部材３とその付近の拡大断面図である。
【図４】本発明の実施の他の形態の植物の生育用補助装置４１の断面図である。
【図５】生育用補助装置４１の平面図である。
【図６】本発明の実施のさらに他の形態の一部を示す分解斜視図である。
【発明を実施するための形態】
【００３１】
図１は本発明の実施の一形態である植物の生育装置１の断面図であり、図２はその植物の生育装置１の平面図である。この植物の生育装置１は基本的に、蓋部材３と、蓋部材３と一体的な円形平板状カバー部材４と、カバー部材４を地面５に固定する固定手段である杭６とを含む。蓋部材３は、中央孔７を有する筒部８と、筒部を開閉可能な蓋９とを有する。生育蓋１１は、筒部８の頂部で着脱自在に、中央孔７を開閉する。蓋部材３とカバー部材４とは、上下に延びる共通な一直線上に各軸線を有する。
【００３２】
図３は、蓋部材３とその付近の拡大断面図である。筒部８は、その下部である基端部１３が外方に拡がった外向きフランジ状に形成され、カバー部材４と一体的に固定される。筒部８の軸線方向のほぼ全長にわたって、外ねじ１４が形成される。この外ねじ１４の基端部１３付近はカバー部材４に接触し、外ねじ１４の凹凸によって固着強度が向上される。蓋９には内ねじ１５が形成され、外ねじ１４に着脱自在にねじ接合される。この蓋９は、内ねじ１５が形成される筒１６に連なる内向きフランジ１７が形成される。この内向きフランジ１７には、複数の雨滴流入孔１８が点在して形成される。内向きフランジ１７には、生育孔１９が形成される。生育蓋１１は、生育孔１９を開閉可能に塞ぐ。生育蓋１１は、蓋板２１と作業者が指で摘む摘子２２と、生育孔１９にほぼぴったりと弾発的に嵌まり込んで位置決めし、併せて抜け止めをも防ぐことができる嵌合突部２３を有する。蓋９とカバー部材４との間には、環状の間隙２４が形成される。この間隙２４によって、蓋９の外周部を手で摘んで回転して開閉操作することが容易である。
【００３３】
一例として、ササユリの場合における寸法を述べる。蓋９の外径Ｄ９＝４０〜６０ｃｍであり、内向きフランジ１７は半径方向の幅Ａ１７＝１０〜１５ｃｍであり、生育孔１９の内径Ｄ１９＝２０〜３０ｃｍである。カバー部材４の外径Ｄ４＝１６０〜２００ｃｍである。カバー部材４の厚み４〜８ｃｍであり、それ以上の値であってもよい。植木鉢３１は、たとえばいわゆる７〜８号と呼ばれる寸法を有してもよく、その外径は、中央孔７の内径未満であり、生育孔１９の内径Ｄ１９未満であってもよいが、内径Ｄ１９以上であってもよく、たとえば１５〜３０ｃｍであってもよく、高さ２０ｃｍであってもよい。
この寸法は、生育される植物に対応して選ばれる。
植物は、生育することによって、生育孔１９を挿通して、上に伸びる。
【００３４】
カバー部材４には、周方向に間隔をあけて複数の杭６が挿通されて地面５に打込まれて固定される。この杭６は、平板状の頭部２６と、軸部２７とを有し、軸部２７はカバー部材４の挿通孔２８を緩やかに挿通する。
【００３５】
蓋部材３の筒部８の下方には、植木鉢３１が地面５内に部分的に埋め込まれて配置される。植木鉢３１は、たとえば直円筒状の筒体３２と、その底板３３とを有し、筒体３２の上下途中位置には仕切り部材３４が配置される。底板３３には、水抜き孔３５が形成される。筒体３２にもまた、周方向および上下方向に間隔をあけて１または複数の水抜き孔が形成されてもよい。仕切り部材３４は、たとえば多数の小孔を有する金網、多孔板などであってもよく、この仕切り部材３４の上方には培養土などの土壌３６が収容され、ササユリなどの植物の球根３７が、たとえば１〜２個、埋め込まれる。仕切り部材３４の下方の空間には、軽石３７などが収容される。植木鉢３１は、生育蓋１１を取外して、指先でつまんで生育孔から取出すことができ、あるいはまた土壌３６、球根３７などを生育孔１９から取出したり埋め込んだりすることができる。さらに蓋９の着脱によって、植木鉢３１の作業が容易となる。
【００３６】
球根３７の生育初期には、生育蓋１１によって生育孔１９を閉じ、筒部８内の植木鉢３１に臨む生育空間を、その植物に好適な温和な環境に維持することができる。生育蓋１１を開いたり、取外すことによって、太陽光を生育孔１９から球根３７によって育ってきた植物に照射することもできる。降雨時の雨水は、雨滴流入孔１８から筒部８内を経て、地面５および植木鉢３１内に流れ込むことができる。
【００３７】
カバー部材４は、杭６によって地面５に固定され、筒部８には蓋９が設けられる。したがって、イノシシなどの害獣は、植木鉢３１内の球根３７および幼木などを食べることはできず、植物の害獣からの被害を回避して生育することができる。蓋９および生育孔１９などは、小径であるので、蓋９が取り外された状態であっても、害獣からの被害を防ぐことができる。
【００３８】
図４は本発明の実施の他の形態の植物の生育用補助装置４１の断面図であり、図５はこの生育用補助装置４１の平面図である。この実施の形態は前述の図１〜図３の実施の形態に類似し、対応する部分には同一の参照符を付す。生育用補助装置４１は基本的に、筒部８と筒部８を開閉可能な蓋９とを有する蓋部材３を有し、前記筒部８の下方の基端部１３から支持部４２が、放射状外方に細長く延びる。支持部４２は、周方向に等間隔に複数、たとえば６本配置される。各支持部４２の外方端には、環状の立上り型枠４４が形成される。各支持部４２には、型枠４４の近傍に上下の挿通孔を有する案内筒４５が設けられる。この案内筒４５には杭６の軸部２７が緩やかに挿通されることができる。
【００３９】
打込み保護部材４６は、筒部８および蓋９を、間隙４７をあけて筒部８を外囲する取付け孔４８を有する。この保護部材４６は、支持部４２に載置される載置面４９を有する。保護部材４６は、取付け孔４８の上端部と載置面４９の内方端とを連なる円錐台状の取付け面５１を有する。
【００４０】
蓋部材３の筒部８、支持部４２、型枠４４および案内筒４５は、ポリエチレン、塩化ビニルなどの合成樹脂などによる射出成形によって製造することができる。蓋９および生育蓋１１もまた、合成樹脂などによって射出成形の手法でそれぞれ製造することができる。保護部材４６もまた合成樹脂から成り、あるいはまたコンクリート、モルタルなどの材料から成ってもよい。
【００４１】
図４および図５の実施の形態によれば、たとえば家庭用品販売店などで、カバー部材４を除く生育用補助装置４１を購入し、使用者は地面５に杭６を用いてこの生育用補助装置４１を固定して設置し、その後、流動性を有するコンクリート、モルタルなど型枠４４の内面と保護部材４６の取付け面５１との間にわたって図４の仮想線で示されるようにカバー部材４を流し込んで打込み、形成する。保護部材４６は流動性を有するコンクリート、モルタルなどが蓋９に接触しないように間隙４７を介在し、蓋９の開閉を容易に可能にする。カバー部材４は、上述のようにコンクリート、モルタルなどから成り、比較的重量が大きく、たとえば１０〜３０ｋｇであり、生育用補助装置４１とは別体とすることによって、使用者の取扱いが容易になる。
【００４２】
図６は、本発明の実施のさらに他の形態の一部を示す分解斜視図である。この図６に示される植物の生育用補助装置４１ａは、前述の図４および図５に示される生育用補助装置４１に類似し、対応する部分には同一の参照符を付し、さらに添え字ａを付すことがある。この実施の形態では、蓋部材３の筒部８の下部である基端部１３は、半径方向外方に放射状に延びて拡がった取付け片５３が周方向に間隔をあけて形成される。取付け片５３には、支持部４２がボルト５５およびナット５６の組合せによって取付け孔を挿通して固定される。支持部４２の放射状の外方端には、立上り取付け片５７が形成される。取付け片５７には、環状の型枠４４の内周面が当接し、ボルト５８とナット５９との組合せによって固定される。ボルト５５、ナット５６；ボルト５８、ナット５９は着脱自在であってもよい。図６に示される植物の生育用補助装置４１ａは、合成樹脂などの材料から成ってもよいが、金属製などであってもよく、そのほかの材料から成ってもよい。
[産業上の利用分野]
【００４３】
本発明は、ササユリの球根をイノシシの獣害から保護するために用いられるだけでなく、そのほかの球根の植物、または球根ではない植物を生育するために用いることができる。
本発明は、獣害の生じない場所においても、植物を生育するために実施することができる。
【符号の説明】
【００４４】
１  植物の生育装置
３  蓋部材
４  カバー部材
５  地面
６  杭
８  筒部
９  蓋
１１  生育蓋
１３  基端部
１４  外ねじ
１５  内ねじ
１６  筒
１７  内向きフランジ
１８  雨滴流入孔
１９  生育孔
２１  蓋板
３１  植木鉢
３７  球根
４１，４１ａ  植物の生育用補助装置
４２  支持部
４４，４４ａ  立上り型枠
４５  案内筒
４６  打込み保護部材
【図１】
0005944463.tif 000002
【図２】
0005944463.tif 000003
【図３】
0005944463.tif 000004
【図４】
0005944463.tif 000005
【図５】
0005944463.tif 000006
【図６】
0005944463.tif 000007